【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
入力される画像データに基づく画像を表示する表示パネルを備えた画像表示装置であって、
画像表示装置の外部から前記表示パネルを透過して入射する光の輝度及び色度の少なくともいずれかを測定する測定手段と、
所定の基準光源の光を入射させたときの前記測定手段による測定値を基準値として記憶する記憶手段と、
他の画像表示装置と通信する通信手段と、
画像表示装置のキャリブレーションを行うキャリブレーション手段と、
前記キャリブレーション手段を第１動作モードで動作させることが可能な制御手段と、を備え、
前記第１動作モードでは、前記キャリブレーション手段は、前記基準光源の輝度及び色度に対応する所定の測定用画像を表示した状態の他の画像表示装置の画面からの光を入射させたときの前記測定手段による測定値を取得し、当該測定値と前記基準値との差分を算出し、前記差分に基づき前記他の画像表示装置が前記他の画像表示装置のキャリブレーションを行うために必要なデータを前記通信手段を用いて前記他の画像表示装置へ送信する画像表示装置。
【請求項２】
前記制御手段は、前記キャリブレーション手段を第２動作モードで動作させることが可能であって、
前記第２動作モードでは、前記キャリブレーション手段は、前記画像表示装置のキャリブレーションを行うために必要なデータを前記通信手段を用いて他の画像表示装置から取得し、当該取得したデータに基づき前記画像表示装置のキャリブレーションを行う、請求項１に記載の画像表示装置。
【請求項３】
第１動作モードにおいて、前記キャリブレーション手段は、測定用画像の表示を指示する命令を前記通信手段を用いて他の画像表示装置へ送信する請求項１又は２に記載の画像表示装置。
【請求項４】
第２動作モードにおいて、前記キャリブレーション手段は、測定用画像の表示を指示する命令を前記通信手段を用いて他の画像表示装置から受け取り、当該測定用画像を前記表
示パネルに表示させる請求項２に記載の画像表示装置。
【請求項５】
前記記憶手段は、輝度又は色度の少なくともいずれかが異なる複数の基準光源の各々に対応する基準値を記憶しており、
第１動作モードにおいて、前記キャリブレーション手段は、前記複数の基準光源の各々について、測定用画像の表示を指示する命令を前記通信手段を用いて他の画像表示装置へ送信し、当該測定用画像を表示した状態の他の画像表示装置の画面からの光を入射させたときの前記測定手段による測定値と、当該基準光源に対応する基準値と、の差分を算出し、各基準光源の各々についての前記差分に基づき前記他の画像表示装置が前記他の画像表示装置のキャリブレーションを行うために必要なデータを前記通信手段を用いて前記他の画像表示装置へ送信する請求項１〜４のいずれか１項に記載の画像表示装置。
【請求項６】
前記基準値は、前記基準光源の発光面と前記表示パネルの表示面とを近接させ対向させた状態で前記測定手段により測定された測定値であり、
第１動作モードにおいて、前記キャリブレーション手段は、前記測定用画像を表示した状態の他の画像表示装置の表示面と前記表示パネルの表示面とを近接させ対向させた状態で前記測定手段により測定された測定値と前記基準値との差分を算出する請求項１〜５のいずれか１項に記載の画像表示装置。
【請求項７】
前記表示パネルの表示面と他の画像表示装置の表示面とが近接して対向したことを検知する検知手段を備え、
前記制御手段は、前記検知手段により他の画像表示装置の表示面と前記表示パネルの表示面とが近接して対向したことを検知した場合に前記キャリブレーション手段を動作させる請求項１〜６のいずれか１項に記載の画像表示装置。
【請求項８】
キャリブレーションの進捗状況を通知する通知手段を背面に備える請求項１〜７のいずれか１項に記載の画像表示装置。
【請求項９】
前記表示パネルは液晶パネルであり、
前記液晶パネルを照射するバックライトと、
前記液晶パネルを制御する液晶制御手段と
前記バックライトを制御するバックライト制御手段と、
を更に備え、
前記測定手段による測定のために外部から光を入射させるときには、前記液晶制御手段は前記液晶パネルの透過率が最大になるように前記液晶パネルを制御し、前記バックライト制御手段は前記バックライトを消灯させる請求項１〜８のいずれか１項に記載の画像表示装置。
【請求項１０】
第１動作モードにおいて、前記キャリブレーション手段は、前記差分に基づき前記他の画像表示装置が前記他の画像表示装置のバックライトのキャリブレーションを行うために必要なデータを前記他の画像表示装置へ送信し、前記他の画像表示装置が前記他の画像表示装置のバックライトのキャリブレーションを完了した後、再び前記差分を算出し、当該算出した差分に基づき前記他の画像表示装置が前記他の画像表示装置の液晶パネルのキャリブレーションを行うために必要なデータを前記他の画像表示装置へ送信する請求項９に記載の画像表示装置。
【請求項１１】
前記表示パネルはＥＬパネルであり、
前記ＥＬパネルを制御するＥＬパネル制御手段を更に備え、
前記測定手段による測定のために外部から画像表示装置の内部へ光を入射させるときには、前記ＥＬパネル制御手段は前記ＥＬパネルを消灯する請求項１〜８のいずれか１項に
記載の画像表示装置。
【請求項１２】
入力される画像データに基づく画像を表示する表示パネルを備えた画像表示装置の制御方法であって、
画像表示装置の外部から前記表示パネルを透過して入射する光の輝度及び色度の少なくともいずれかを測定する測定工程と、
所定の基準光源の光を入射させたときの前記測定工程による測定値を基準値として記憶手段から読み込む工程と、
他の画像表示装置と通信する通信工程と、
画像表示装置のキャリブレーションを第１動作モードで行うことが可能なキャリブレーション工程と、
を有し、
前記第１動作モードでは、前記キャリブレーション工程は、前記基準光源の輝度及び色度に対応する所定の測定用画像を表示した状態の他の画像表示装置の画面からの光を入射させたときの前記測定工程による測定値を取得し、当該測定値と前記基準値との差分を算出し、前記差分に基づき前記他の画像表示装置が前記他の画像表示装置のキャリブレーションを行うために必要なデータを前記通信工程により前記他の画像表示装置へ送信する画像表示装置の制御方法。
【請求項１３】
前記キャリブレーション工程では前記キャリブレーションを第２動作モードで行うことが可能であって、
前記第２動作モードでは、前記キャリブレーション工程は、前記画像表示装置のキャリブレーションを行うために必要なデータを前記通信工程により他の画像表示装置から取得し、当該取得したデータに基づき前記画像表示装置のキャリブレーションを行う、請求項１２に記載の画像表示装置の制御方法。
【手続補正２】
【補正対象書類名】明細書
【補正対象項目名】０００７
【補正方法】変更
【補正の内容】
【０００７】
本発明は、入力される画像データに基づく画像を表示する表示パネルを備えた画像表示装置であって、
画像表示装置の外部から前記表示パネルを透過して入射する光の輝度及び色度の少なくともいずれかを測定する測定手段と、
所定の基準光源の光を入射させたときの前記測定手段による測定値を基準値として記憶する記憶手段と、
他の画像表示装置と通信する通信手段と、
画像表示装置のキャリブレーションを行うキャリブレーション手段と、
前記キャリブレーション手段を第１動作モードで動作させることが可能な制御手段と、を備え、
前記第１動作モードでは、前記キャリブレーション手段は、前記基準光源の輝度及び色度に対応する所定の測定用画像を表示した状態の他の画像表示装置の画面からの光を入射させたときの前記測定手段による測定値を取得し、当該測定値と前記基準値との差分を算出し、前記差分に基づき前記他の画像表示装置が前記他の画像表示装置のキャリブレーションを行うために必要なデータを前記通信手段を用いて前記他の画像表示装置へ送信する画像表示装置である。
【手続補正３】
【補正対象書類名】明細書
【補正対象項目名】０００８
【補正方法】変更
【補正の内容】
【０００８】
本発明は、入力される画像データに基づく画像を表示する表示パネルを備えた画像表示装置の制御方法であって、
画像表示装置の外部から前記表示パネルを透過して入射する光の輝度及び色度の少なくともいずれかを測定する測定工程と、
所定の基準光源の光を入射させたときの前記測定工程による測定値を基準値として記憶手段から読み込む工程と、
他の画像表示装置と通信する通信工程と、
画像表示装置のキャリブレーションを第１動作モードで行うことが可能なキャリブレーション工程と、
を有し、
前記第１動作モードでは、前記キャリブレーション工程は、前記基準光源の輝度及び色度に対応する所定の測定用画像を表示した状態の他の画像表示装置の画面からの光を入射させたときの前記測定工程による測定値を取得し、当該測定値と前記基準値との差分を算出し、前記差分に基づき前記他の画像表示装置が前記他の画像表示装置のキャリブレーションを行うために必要なデータを前記通信工程により前記他の画像表示装置へ送信する画像表示装置の制御方法である。